(57)【要約】【課題】入力部対応の説明を状況に応じて変更して表示する構成を提供する。【解決手段】情報表示装置の制御部が、入力部に対応して設定された接触センサの検出情報を入力し、入力部に対するユーザ接触を示す接触情報が入力したことを条件として入力部に対応する簡易説明情報を表示部に表示し、さらに、入力部に対するユーザ接触が予め設定した簡易情報の最長表示時間以上継続したと判定した場合には、表示部の表示を詳細説明情報に切り替える表示情報制御を行なう。本構成により、例えば入力部の操作や機能についてよく分からないユーザでも、より詳細な説明を効率的に容易に確認することが可能となる。【選択図】図７
2008301387.tif 000002
【特許請求の範囲】
【請求項１】
ユーザ操作情報を入力する入力部と、
前記入力部に対するユーザ接触の有無を検出する接触センサと、
情報表示を実行する表示部と、
前記入力部のユーザ操作情報および前記接触センサのセンサ検出情報を入力し、前記表示部に対する表示情報の制御を実行する制御部を有し、
前記制御部は、
前記入力部に対するユーザ接触を示す接触情報を前記接触センサから入力した場合、前記入力部に対応する第１の情報を前記表示部に表示し、
前記入力部に対するユーザ接触が予め設定した前記第１の情報の最長表示時間以上継続した場合、前記表示部の表示を前記入力部に対応する少なくとも第２の情報に切り替える表示制御を行う構成であることを特徴とする情報表示装置。
【請求項２】
前記制御部は、
前記入力部に対応する第１の情報または第２の情報の表示処理の実行中、前記接触センサから前記入力部に対するユーザ非接触を示す情報を入力した場合、前記第１の情報または第２の情報の表示停止処理を行なう構成であることを特徴とする請求項１に記載の情報表示装置。
【請求項３】
前記第１の情報または第２の情報は、
前記入力部に対応する操作情報または機能情報または設定情報の少なくともいずれかの情報を含む情報であることを特徴とする請求項１に記載の情報表示装置。
【請求項４】
前記入力部は、設定モードに応じて異なる機能を実行する入力部であり、
前記制御部は、
前記第１の情報または第２の情報の表示に際して、設定モードに応じて入力部に対応する情報表示を実行することを特徴とする請求項１に記載の情報表示装置。
【請求項５】
前記入力部は、ユーザ設定に応じた様々な機能を実行するファンクション入力部であり、
前記制御部は、
前記第１の情報または第２の情報の表示に際して、ユーザ設定に応じたファンクション入力部対応の情報表示を実行することを特徴とする請求項１に記載の情報表示装置。
【請求項６】
前記入力部は、操作回数または操作態様に応じた様々な機能を実行する多機能入力部であり、
前記制御部は、
前記第１の情報または第２の情報の表示に際して、多機能入力部の各機能に対応する情報表示を実行することを特徴とする請求項１に記載の情報表示装置。
【請求項７】
前記第１の情報は前記入力部に対応する簡易説明情報であり、前記第２の情報は前記入力部に対応する詳細説明情報であることを特徴とする請求項１〜６いずれかに記載の情報表示装置。
【請求項８】
被写体画像を撮像する撮像手段と、
ユーザ操作情報を入力する入力部と、
前記入力部に対するユーザ接触の有無を検出する接触センサと、
情報表示を実行する表示部と、
前記入力部のユーザ操作情報および前記接触センサのセンサ検出情報を入力し、前記表示部に対する表示情報の制御を実行する制御部を有し、
前記制御部は、
前記入力部に対するユーザ接触を示す接触情報を前記接触センサから入力した場合、前記入力部に対応する第１の情報を前記表示部に表示し、
前記入力部に対するユーザ接触が予め設定した前記第１の情報の最長表示時間以上継続した場合、前記表示部の表示を前記入力部に対応する少なくとも第２の情報に切り替える表示制御を行う構成であることを特徴とする撮像装置。
【請求項９】
前記制御部は、
前記入力部に対応する第１の情報または第２の情報の表示処理の実行中、前記接触センサから前記入力部に対するユーザ非接触を示す情報を入力した場合、前記第１の情報または第２の情報の表示停止処理を行なう構成であることを特徴とする請求項８に記載の撮像装置。
【請求項１０】
前記第１の情報または第２の情報は、
前記入力部に対応する操作情報または機能情報または設定情報の少なくともいずれかの情報を含む情報であることを特徴とする請求項８に記載の撮像装置。
【請求項１１】
前記第１の情報は前記入力部に対応する簡易説明情報であり、前記第２の情報は前記入力部に対応する詳細説明情報であることを特徴とする請求項８〜１０いずれかに記載の撮像。
【請求項１２】
情報表示装置において実行する表示データ制御方法であり、
制御部が、入力部に対応して設定された接触センサのセンサ検出情報を入力する情報入力ステップと、
前記制御部が、前記入力部に対するユーザ接触を示す接触情報を前記接触センサから入力したことを条件として、前記入力部に対応する第１の情報を前記表示部に表示し、前記入力部に対するユーザ接触が予め設定した前記第１の情報の最長表示時間以上継続したと判定した場合、前記表示部の表示を前記入力部に対応する少なくとも第２の情報に切り替える表示情報制御ステップと、
を有することを特徴とする表示データ制御方法。
【請求項１３】
前記表示情報制御ステップは、さらに、
前記前記入力部に対応する第１の情報または第２の情報の表示処理の実行中、前記接触センサから前記入力部に対するユーザ非接触を示す情報を入力した場合、前記第１の情報または第２の情報の表示停止処理を行なうステップを含むことを特徴とする請求項１２に記載の表示データ制御方法。
【請求項１４】
前記第１の情報または第２の情報は、
前記入力部に対応する操作情報または機能情報または設定情報の少なくともいずれかの情報を含む情報であることを特徴とする請求項１２に記載の表示データ制御方法。
【請求項１５】
前記第１の情報は前記入力部に対応する簡易説明情報であり、前記第２の情報は前記入力部に対応する詳細説明情報であることを特徴とする請求項１２〜１４のいずれかに記載の表示データ制御方法。
【請求項１６】
情報表示装置において表示データ制御処理を実行させるコンピュータ・プログラムであり、
制御部に、入力部に対応して設定された接触センサのセンサ検出情報を入力させる情報入力ステップと、
前記制御部に、前記入力部に対するユーザ接触を示す接触情報を前記接触センサから入力したことを条件として前記入力部に対応する第１の情報を前記表示部に表示させ、前記入力部に対するユーザ接触が予め設定した前記第１の情報の最長表示時間以上継続したと判定した場合、前記表示部の表示を前記入力部に対応する少なくとも第２の情報に切り替えさせる表示情報制御ステップと、
を実行させることを特徴とするコンピュータ・プログラム。
【発明の詳細な説明】
【技術分野】
【０００１】
本発明は、情報表示装置、撮像装置、および表示データ制御方法、並びにコンピュータ・プログラムに関する。さらに詳細には、例えばカメラなど表示部を有する情報表示装置などにおいて、表示部に表示される様々な画面の切り替えタイミングをユーザの都合に応じて決定することを可能とした情報表示装置、撮像装置、および表示データ制御方法、並びにコンピュータ・プログラムに関する。
【背景技術】
【０００２】
デジタルカメラ、デジタルビデオカメラなどの撮像装置、あるいは、その他表示部を備えた情報処理装置では、表示部としてのディスプレイに様々な表示処理が行われる。
【０００３】
例えばデジタルカメラなどの情報処理装置では、様々な入力部を備え、これらの入力部の操作の説明や機能の説明などを表示部に表示することが可能な設定となっている。このような説明表示処理制御を開示した従来技術には以下のようなものがある。
【０００４】
特許文献１（特開２０００−３３０１８１）には、ユーザによって操作した入力部の機能を、操作後に表示部に表示する構成が開示されている。また、特許文献２（特開２００３−３１９２２６）は、ヘルプボタンを押すと、前に操作した内容や、説明文が表示される構成を開示している。また、特許文献３（特開２００４−１７３０２９）には説明モードつきデジタルカメラの構成を示している。
【０００５】
しかし、特許文献１，２に記載の構成は、ユーザの操作後の一定の固定期間しか、入力部の機能の説明を表示できないという問題があり、特許文献３の構成は説明モードにモード変更しないと、入力部の有する機能の説明を表示できないという問題がある。
【特許文献１】特開２０００−３３０１８１号公報
【特許文献２】特開２００３−３１９２２６号公報
【特許文献３】特開２００４−１７３０２９号公報
【発明の開示】
【発明が解決しようとする課題】
【０００６】
本発明は、上述の問題点に鑑みてなされたものであり、例えばカメラなど表示部を有し、入力部の操作の説明や機能の説明などを表示部に表示する情報表示装置において、ユーザの操作対象の入力部に対応する操作説明や機能説明を、ユーザの処理に応じて簡易情報と詳細情報を段階的に表示することで、ユーザの理解度に適合した最適な表示を行なうことを可能とした情報表示装置、撮像装置、および表示データ制御方法、並びにコンピュータ・プログラムを提供することを目的とする。
【課題を解決するための手段】
【０００７】
本発明の第１の側面は、
ユーザ操作情報を入力する入力部と、
前記入力部に対するユーザ接触の有無を検出する接触センサと、
情報表示を実行する表示部と、
前記入力部のユーザ操作情報および前記接触センサのセンサ検出情報を入力し、前記表示部に対する表示情報の制御を実行する制御部を有し、
前記制御部は、
前記入力部に対するユーザ接触を示す接触情報を前記接触センサから入力した場合、前記入力部に対応する第１の情報を前記表示部に表示し、
前記入力部に対するユーザ接触が予め設定した前記第１の情報の最長表示時間以上継続した場合、前記表示部の表示を前記入力部に対応する少なくとも第２の情報に切り替える表示制御を行う構成であることを特徴とする情報表示装置にある。
【０００８】
さらに、本発明の情報表示装置の一実施態様において、前記制御部は、前記入力部に対応する第１の情報または第２の情報の表示処理の実行中、前記接触センサから前記入力部に対するユーザ非接触を示す情報を入力した場合、前記第１の情報または第２の情報の表示停止処理を行なう構成であることを特徴とする。
【０００９】
さらに、本発明の情報表示装置の一実施態様において、前記第１の情報または第２の情報は、前記入力部に対応する操作情報または機能情報または設定情報の少なくともいずれかの情報を含む情報であることを特徴とする。
【００１０】
さらに、本発明の情報表示装置の一実施態様において、前記入力部は、設定モードに応じて異なる機能を実行する入力部であり、前記制御部は、前記第１の情報または第２の情報の表示に際して、設定モードに応じて入力部に対応する情報表示を実行することを特徴とする。
【００１１】
さらに、本発明の情報表示装置の一実施態様において、前記入力部は、ユーザ設定に応じた様々な機能を実行するファンクション入力部であり、前記制御部は、前記第１の情報または第２の情報の表示に際して、ユーザ設定に応じたファンクション入力部対応の情報表示を実行することを特徴とする。
【００１２】
さらに、本発明の情報表示装置の一実施態様において、前記入力部は、操作回数または操作態様に応じた様々な機能を実行する多機能入力部であり、前記制御部は、前記第１の情報または第２の情報の表示に際して、多機能入力部の各機能に対応する情報表示を実行することを特徴とする。
【００１３】
さらに、本発明の情報表示装置の一実施態様において、前記第１の情報は前記入力部に対応する簡易説明情報であり、前記第２の情報は前記入力部に対応する詳細説明情報であることを特徴とする。
【００１４】
さらに、本発明の第２の側面は、
被写体画像を撮像する撮像手段と、
ユーザ操作情報を入力する入力部と、
前記入力部に対するユーザ接触の有無を検出する接触センサと、
情報表示を実行する表示部と、
前記入力部のユーザ操作情報および前記接触センサのセンサ検出情報を入力し、前記表示部に対する表示情報の制御を実行する制御部を有し、
前記制御部は、
前記入力部に対するユーザ接触を示す接触情報を前記接触センサから入力した場合、前記入力部に対応する第１の情報を前記表示部に表示し、
前記入力部に対するユーザ接触が予め設定した前記第１の情報の最長表示時間以上継続した場合、前記表示部の表示を前記入力部に対応する少なくとも第２の情報に切り替える表示制御を行う構成であることを特徴とする撮像装置にある。
【００１５】
さらに、本発明の撮像装置の一実施態様において、前記制御部は、前記入力部に対応する第１の情報または第２の情報の表示処理の実行中、前記接触センサから前記入力部に対するユーザ非接触を示す情報を入力した場合、前記第１の情報または第２の情報の表示停止処理を行なう構成であることを特徴とする。
【００１６】
さらに、本発明の撮像装置の一実施態様において、前記第１の情報または第２の情報は、前記入力部に対応する操作情報または機能情報または設定情報の少なくともいずれかの情報を含む情報であることを特徴とする。
【００１７】
さらに、本発明の撮像装置の一実施態様において、前記第１の情報は前記入力部に対応する簡易説明情報であり、前記第２の情報は前記入力部に対応する詳細説明情報であることを特徴とする。
【００１８】
さらに、本発明の第３の側面は、
情報表示装置において実行する表示データ制御方法であり、
制御部が、入力部に対応して設定された接触センサのセンサ検出情報を入力する情報入力ステップと、
前記制御部が、前記入力部に対するユーザ接触を示す接触情報を前記接触センサから入力したことを条件として、前記入力部に対応する第１の情報を前記表示部に表示し、前記入力部に対するユーザ接触が予め設定した前記第１の情報の最長表示時間以上継続したと判定した場合、前記表示部の表示を前記入力部に対応する少なくとも第２の情報に切り替える表示情報制御ステップと、
を有することを特徴とする表示データ制御方法にある。
【００１９】
さらに、本発明の表示データ制御方法の一実施態様において、前記表示情報制御ステップは、さらに、前記前記入力部に対応する第１の情報または第２の情報の表示処理の実行中、前記接触センサから前記入力部に対するユーザ非接触を示す情報を入力した場合、前記第１の情報または第２の情報の表示停止処理を行なうステップを含むことを特徴とする。
【００２０】
さらに、本発明の表示データ制御方法の一実施態様において、前記第１の情報または第２の情報は、前記入力部に対応する操作情報または機能情報または設定情報の少なくともいずれかの情報を含む情報であることを特徴とする。
【００２１】
さらに、本発明の表示データ制御方法の一実施態様において、前記第１の情報は前記入力部に対応する簡易説明情報であり、前記第２の情報は前記入力部に対応する詳細説明情報であることを特徴とする。
【００２２】
さらに、本発明の第４の側面は、
情報表示装置において表示データ制御処理を実行させるコンピュータ・プログラムであり、
制御部に、入力部に対応して設定された接触センサのセンサ検出情報を入力させる情報入力ステップと、
前記制御部に、前記入力部に対するユーザ接触を示す接触情報を前記接触センサから入力したことを条件として前記入力部に対応する第１の情報を前記表示部に表示させ、前記入力部に対するユーザ接触が予め設定した前記第１の情報の最長表示時間以上継続したと判定した場合、前記表示部の表示を前記入力部に対応する少なくとも第２の情報に切り替えさせる表示情報制御ステップと、
を実行させることを特徴とするコンピュータ・プログラムにある。
【００２３】
なお、本発明のコンピュータ・プログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００２４】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２５】
本発明の一実施例構成によれば、情報表示装置の制御部が、入力部に対応して設定された接触センサの検出情報を入力し、入力部に対するユーザ接触を示す接触情報が入力したことを条件として入力部に対応する簡易説明情報を表示部に表示し、さらに、入力部に対するユーザ接触が予め設定した簡易情報の最長表示時間以上継続したと判定した場合には、表示部の表示を詳細説明情報に切り替える表示情報制御を行なう構成としたので、例えば入力部の操作や機能についてよく分からないユーザでも、より詳細な説明を効率的に容易に確認することが可能となる。
【発明を実施するための最良の形態】
【００２６】
以下、図面を参照しながら、本発明の情報表示装置、撮像装置、および表示データ制御方法、並びにコンピュータ・プログラムの詳細について説明する。以下、本発明の情報表示装置の一実施例として、撮像装置を例にして説明する。
【００２７】
まず、図１、図２を参照して撮像装置の外観構成とハードウェア構成例について説明する。図１は、撮像装置１００の外観を示す図である。図１（ａ）は、撮像装置１００の正面図、（ｂ）は上面図、（ｃ）は背面図である。（ｂ）上面図のレンズ部分は断面図として示してある。撮像装置１００は、レンズ部１０１、シャッター１０２、撮影モード、再生モードなどのモード設定を行なうモード選択ダイヤル１０３、ズーム設定を行うズームボタン１０４、各種設定、操作を行なう操作ボタン１０５、さらに、撮像装置によって撮影される画像（スルー画像）や操作情報などを表示する表示部（モニタ）１０６を有する。
【００２８】
被写体画像は、表示部（モニタ）１０６に表示される。表示部１０６は例えばＬＣＤによって構成され、レンズを介する被写体画像が動画像として映し出される。この動画像はスルー画と呼ばれる。さらに、表示部１０６は、撮像装置において撮影された画像である静止画の表示、あるいは各種操作情報、設定情報などの説明情報の表示領域としても利用される。
【００２９】
次に、図２を参照して本発明の情報表示装置の一実施例に係る撮像装置の主要ハードウェア構成について説明する。図２には、撮像装置を構成するハードウェア中、本発明に関連する構成要素のみを選択して示したブロック図である。撮像装置は制御部（ＣＰＵ）２０１、図１に示すシャッター１０２、モード選択ダイヤル１０３、ズームボタン１０４、操作ボタン１０５等からなる入力部２０２、接触センサ２０３、メモリ２０４、表示部１０６、タイマ２０６、電源２０７を有する。表示部１０６は、図１に示す表示部１０６に対応する。
【００３０】
制御部２０１は、例えば入力部２０２、接触センサ２０３を介する操作情報を入力して、撮像装置におけるデータ処理の制御を実行する。具体的には、撮影処理の開始、撮影データの信号処理、メモリ２０４に対する記録処理、さらに、ユーザ操作に応じた各種情報の表示部１０６に対する表示制御処理などを実行する。なお、メモリ２０４は撮影データの記録領域のみならず、制御部２０１の実行する処理に対応するプログラムの格納領域、プログラム実行のためのワークエリアとして利用されるメモリ領域を含むメモリである。図では１つのメモリ２０４として示してあるが、様々な用途に応じたＲＡＭ、ＲＯＭ、メディア等を含むメモリである。
【００３１】
接触センサ２０３は、図１に示すシャッター１０２、モード選択ダイヤル１０３、ズームボタン１０４、操作ボタン１０５等からなる入力部２０２の各々に対応して設定され、例えばユーザの指がこれらシャッター１０２、モード選択ダイヤル１０３、ズームボタン１０４、操作ボタン１０５に触れられているか否かを検出し、検出情報を制御部２０１に入力する。
【００３２】
制御部２０１は、入力部２０２から各種の操作情報、すなわち、図１に示すシャッター１０２、モード選択ダイヤル１０３、ズームボタン１０４、操作ボタン１０５の操作情報、およびタイマ２０６の時間情報を入力して、各種操作に応じた処理、例えば撮影処理、表示部１０６に対する表示情報の制御処理などを実行するとともに、入力部２０２に対応する接触センサ２０３、すなわち、図１に示すシャッター１０２、モード選択ダイヤル１０３、ズームボタン１０４、操作ボタン１０５の各々に対応して設定された接触センサ２０３の検出情報に応じて表示部１０６に表示する表示情報の切り替えなど表示制御処理を実行する。
【００３３】
以下、図３以下を参照して、制御部２０１の実行する表示制御処理の詳細について説明する。図３は、ユーザ（撮影者）による被写体の撮影処理を説明する図である。ユーザ３０１は、カメラのシャッター１０２を押下することで、被写体３２１を撮影する。被写体の撮影開始以前にカメラの表示部１０６には、スルー画（動画）が表示され、ユーザは画面を確認しながら撮影領域を決定して、シャッター１０２を押下して撮影を行なう。
【００３４】
図１を参照して説明したように、撮像装置１００には、ユーザ操作可能な様々な入力部が備えられている。すなわち、図１に示すシャッター１０２、モード選択ダイヤル１０３、ズームボタン１０４、操作ボタン１０５等からなる入力部である。ユーザは、これらの入力部がどのような機能を有するかについて把握していない場合もあり、その入力部の機能や、あるいはその入力部の設定モード情報などを知りたい場合がある。
【００３５】
本発明の撮像装置では、図２を参照して説明したように入力部２０２の各々に対応して接触センサ２０３が備えられ、制御部２０１は、これらの入力部２０２、接触センサ２０３の接触検出情報を入力して、表示部１０６に入力部の機能や、あるいはその入力部の設定モード情報など複数の異なる情報の表示を実行する。すなわち、表示部１０６の表示データの切り替えを、図２を参照して説明した接触センサ２０３の検出情報、すなわち、ユーザの指などが入力部２０２に触れられているか否かの検出情報に基づいて制御部２０１が制御する。
【００３６】
なお、本発明の表示制御では、表示部１０６に複数の異なる情報（第１の情報〜第ｎの情報）の表示切り替え制御を行う。例えば制御部２０１は、入力部に対するユーザ接触を示す接触情報を接触センサから入力したことを条件として、入力部に対応する第１の情報を表示部に表示し、入力部に対するユーザ接触が予め設定した第１の情報の最長表示時間以上継続したと判定した場合、表示部１０６の表示を入力部に対応する少なくとも第２の情報に切り替える表示情報制御処理を行う。なお、以下に説明する実施例では、第１の情報を簡易情報、第２の情報を詳細情報とした例を説明する。
【００３７】
図４は、本発明の表示制御例を示す図である。図４に示す例は、撮影モード、再生モードなどのモード設定を行なうモード選択ダイヤル１０３の操作をユーザ３０１が行なう場合の表示部１０６の表示データの遷移例を示す図である。
【００３８】
図４（ａ）は、ユーザ３０１がモード選択ダイヤル１０３に触れた開始時間（Ｔ０）から、継続してユーザがモード選択ダイヤル１０３に触れている場合、簡易情報の最長表示時間［Ｔａ］までの期間における表示部１０６の表示データ例を示している。この期間において、制御部２０１は、表示部１０６に、ユーザの触れている入力部２０２、この場合は、モード選択ダイヤル１０３に対応する第１段階の説明情報である簡易説明情報３３１を表示する。図４（ａ）には、［モード選択ダイヤル］という入力部の名称のみの簡易説明情報３３１の表示例を示している。制御部２０１は、ユーザの指がモード選択ダイヤル１０３に接触し、接触センサの検出情報がＯＮになったことを検出すると、接触センサの検出情報がＯＮである一定期間は簡易説明情報３３１を表示する。
【００３９】
図４（ｂ）は、ユーザ３０１がモード選択ダイヤル１０３に継続して触れており、簡易情報の最長表示時間［Ｔａ］が経過した以後の表示部１０６の表示データ例を示している。制御部２０１は、簡易情報の最長表示時間［Ｔａ］が経過した以後は、表示部１０６に、ユーザの触れている入力部２０２、この場合は、モード選択ダイヤル１０３に対応する第２段階の説明情報である詳細説明情報３３２を表示する。図４（ｂ）には、モード選択ダイヤルの詳細な説明情報として、モード選択ダイヤルの機能の説明と、現在の設定モードの説明を含む詳細説明情報３３２を表示した例を示している。制御部２０１は、ユーザの指がモード選択ダイヤル１０３に接触し、接触センサの検出情報がＯＮになって一定期間が経過すると、簡易説明情報３３１から詳細説明情報３３２に表示を切り替える処理を実行する。
【００４０】
図４（ｃ）は、ユーザ３０１がモード選択ダイヤル１０３から離れた、すなわち非接触状態となった場合の表示データ例を示している。ユーザの指がモード選択ダイヤル１０３から離れ、接触センサの検出情報がＯＦＦになったことが検出されると、図４（ｃ）に示すように、表示部１０６の表示は、更新され、例えばスルー画に切り替えられる。
【００４１】
このように、本発明に従った表示制御では、ユーザの入力部に対する接触情報に基づいて表示の切り替えを行なう。ユーザが入力部を触れたままの状態を継続している場合には、段階的により詳細な説明を表示する設定としたので、ユーザの理解度に応じた最適な表示を行なうことが可能となる。なお、表示部に表示される簡易説明情報や詳細説明情報は、入力部に対応する操作情報または機能情報または設定情報の少なくともいずれかの情報を含む情報である。
【００４２】
本発明に従った表示制御のシーケンスについて、図５、図６を参照して説明する。図５は、ユーザが入力部に触れた状態を短い期間で終了した場合の表示制御例である。図５には、（ａ）表示情報と（ｂ）接触情報検出信号を示している。（ｂ）接触情報検出信号がＯＮの期間はユーザが入力部２０２、例えばモード選択ダイヤル１０３に触れている期間であり、この期間は、接触センサ２０３から制御部２０１にユーザが入力部２０２に触れていることを示す状態検出信号（ＯＮ）が入力される。時間（Ｔ０）において、ユーザが入力部２０２に接触したことが検出されると、予め設定した一定期間［Ｔａ］以内は、表示部１０６に、ユーザが触れている入力部に対応する簡易説明情報を表示する。ユーザが入力部２０２、例えばモード選択ダイヤル１０３から手を離すと（ｂ）接触情報検出信号はＯＦＦとなり、この時点で、制御部２０１は、表示部１０６に表示された簡易説明情報の表示を停止して、その他の表示情報、例えばスルー画に切り替える。
【００４３】
図５に示す例は、ユーザが入力部２０２（例えばモード選択ダイヤル１０３）に触れていた時間（Ｔ０〜Ｔ１）が、簡易説明情報から詳細説明情報への切り替え期間、すなわち予め規定された簡易情報の最長表示時間［Ｔａ］より短いため、詳細説明情報の表示は実行されず、簡易説明情報からスルー画への切り替えが行われる。
【００４４】
次に、図６を参照して、ユーザが入力部２０２（例えばモード選択ダイヤル１０３）に触れていた時間が、予め規定された簡易情報の最長表示時間［Ｔａ］より長い場合の表示情報の遷移について説明する。
【００４５】
図６は、ユーザが入力部に触れている期間が長い場合の表示制御例である。図６も、図５と同様（ａ）表示情報と（ｂ）接触情報検出信号を示している。（ｂ）接触情報検出信号がＯＮの期間はユーザが入力部２０２、例えばモード選択ダイヤル１０３に触れている期間であり、この期間は、接触センサ２０３から制御部２０１にユーザが入力部２０２に触れていることを示す状態検出信号（ＯＮ）が入力される。時間（Ｔ０）において、ユーザが入力部２０２に接触したことが検出されると、予め規定された簡易情報の最長表示時間［Ｔａ］内は、表示部１０６に、ユーザが触れている入力部に対応する簡易説明情報を表示する。
【００４６】
本例では、簡易情報の最長表示時間［Ｔａ］より長い時間（Ｔ０〜Ｔ２）、ユーザが入力部２０２、例えばモード選択ダイヤル１０３に触れており、この場合、制御部は、時間Ｔ０から期間［Ｔａ］経過後に、表示部の表示情報を簡易説明情報から詳細説明情報へ切り替える。すなわち、図４（ａ）から図４（ｂ）の表示切り替えが発生する。ユーザは、詳細説明情報により、ユーザの触れている入力部に対応する詳しい情報を把握することが可能となる。
【００４７】
時間（Ｔ２）において、ユーザが入力部からから手を離すと（ｂ）接触情報検出信号はＯＦＦとなり、この時点で、制御部２０１は、表示部１０６に表示された詳細説明情報の表示を停止して、その他の表示情報、例えばスルー画に切り替える。
【００４８】
このように、本発明の撮像装置の制御部２０１は、ユーザの操作する入力部にユーザが触れているか否かの接触情報を接触センサ２０３から入力し、接触情報が（ＯＮ）となった場合に、入力部に対応する簡易説明情報を表示部に表示し、さらに、継続してユーザが入力部に触れている期間が、予め設定した簡易情報最長表示時間［Ｔａ］以上となった場合に、表示部に表示された簡易説明情報を詳細説明情報に切り替える処理を行い、ユーザの手が入力部から離れた場合、表示部に表示されている簡易説明情報または詳細説明情報の表示を停止して、その他の情報表示、例えばスルー画表示に切り替える制御を行う。
【００４９】
なお、ユーザが入力部に対する操作を実行した場合、例えば、モードの切り替えを行った場合は、その切り替えたモードに対応する情報表示が実行され、さらに、他の入力部にユーザが触れた場合は、新たに触れた入力部に対応する説明情報（簡易説明情報）の表示がなされる。
【００５０】
本発明の撮像装置の制御部の実行する表示部に対する表示データ制御処理のシーケンスについて、図７に示すフローチャートを参照して説明する。図７は、ユーザがある入力部に対して触れた場合、あるいは操作を実行した後の制御部の行なう表示制御処理を示している。
【００５１】
まず、ステップＳ１０１において、制御部は、ユーザの触れたあるいは操作した入力部に対応する簡易説明情報を表示部に表示する。次に、ステップＳ１０２において、予め規定された簡易情報の最長表示時間［Ｔａ］が経過以前に、ユーザが入力部から手を離したか、すなわち、接触センサから手を触れていないことを示す接触情報［ＯＦＦ］が入力されたか否かが判定される。判定がＹｅｓの場合は、ステップＳ１０５に進み、表示部に表示された簡易説明情報の表示を停止し、表示情報の更新を行なう。例えばスルー画に切り替える。
【００５２】
一方、ステップＳ１０２において、予め規定された簡易情報の最長表示時間［Ｔａ］が経過以前に、ユーザが入力部から手を離していない、すなわち、手を触れていることを示す接触情報［ＯＮ］が、予め規定された簡易情報の最長表示時間［Ｔａ］以上継続して接触センサから入力されている場合は、ステップＳ１０３に進み、表示部に表示された簡易説明情報を詳細説明情報の表示に切り替える表示情報の更新を行なう。
【００５３】
次にステップＳ１０４において、接触センサからの入力が手を触れていないことを示す接触情報［ＯＦＦ］となったか否かを判定し、［ＯＦＦ］になっていない場合は、ステップＳ１０３の詳細説明情報の表示を継続し、［ＯＦＦ］になった場合は、ステップＳ１０５に移行して表示部に表示された簡易説明情報の表示を停止し、表示情報の更新を行なう。例えばスルー画に切り替える。
【００５４】
なお、上記実施例では、制御部の表示制御は、簡易情報と詳細情報の２段階として説明したが、さらに表示時間を多数に区切り、
時間Ｔ０〜Ｔ１：簡易説明、
時間Ｔ１〜Ｔ２：第１段階詳細説明、
時間Ｔ２〜Ｔ３：第２段階詳細説明、
：
上記のようにさらに３段階以上の説明を順次表示する制御を行なう構成としてもよい。
【００５５】
上述した実施例では、モード選択ダイヤルに対応する表示制御処理例を説明したが、その他の様々な入力部に対応する表示制御処理例について、図８以下を参照して説明する。
【００５６】
図８は、ズームボタン１０４に対応する表示制御例を示す図である。図８（ａ）は、ユーザ３０１がズームボタン１０４に触れた開始時間（Ｔ０）から、継続してユーザがズームボタン１０４に触れている場合、簡易情報の最長表示時間［Ｔａ］までの表示部１０６における表示データ例を示している。この期間において、制御部２０１は、表示部１０６に、ユーザの触れている入力部２０２、この場合は、ズームボタン１０４に対応する第１段階の説明情報である簡易説明情報３４１を表示する。図８（ａ）には、［ズームボタン］という入力部の名称のみの簡易説明情報３４１の表示例を示している。制御部２０１は、ユーザの指がズームボタン１０４に接触し、接触センサの検出情報がＯＮになったことを検出すると、接触センサの検出情報がＯＮである一定期間は図８（ａ）に示すズームボタン１０４対応の簡易説明情報３４１を表示する。
【００５７】
図８（ｂ）は、ユーザ３０１がズームボタン１０４に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れているズームボタン１０４に対応する第２段階の説明情報である詳細説明情報３４２を表示する。図８（ｂ）には、ズームボタン１０４の詳細な説明情報として、ズームボタン１０４の機能の説明と、現在のズーム設定の説明を含む詳細説明情報３４２を表示した例を示している。制御部２０１は、ユーザの指がズームボタン１０４に接触し、接触センサの検出情報がＯＮになって一定期間（簡易情報の最長表示時間［Ｔａ］）が経過すると、簡易説明情報３４１から詳細説明情報３４２に表示を切り替える処理を実行する。
【００５８】
図８（ｃ）は、ユーザ３０１がズームボタン１０４から離れた、すなわち非接触状態となった場合の表示データ例を示している。ユーザの指がズームボタン１０４から離れ、接触センサの検出情報がＯＦＦになったことが検出された場合、図８（ｃ）に示すように、表示部１０６の表示は、更新され、例えばスルー画３４３に切り替えられる。
【００５９】
図９は、シャッター１０２に対応する表示制御例を示す図である。図９（ａ）は、ユーザ３０１がシャッター１０２に触れた開始時間（Ｔ０）から継続してユーザがシャッター１０２に触れている場合、簡易情報の最長表示時間［Ｔａ］までの表示部１０６における表示データ例を示している。この期間において、制御部２０１は、表示部１０６に、ユーザの触れている入力部２０２、この場合は、シャッター１０２に対応する第１段階の説明情報である簡易説明情報３５１を表示する。図９（ａ）には、［シャッター（連写）］という入力部の名称と簡単な機能のみの簡易説明情報３４１の表示例を示している。制御部２０１は、ユーザの指がシャッター１０２に接触し、接触センサの検出情報がＯＮになったことを検出すると、接触センサの検出情報がＯＮである一定期間は図９（ａ）に示すシャッター１０２対応の簡易説明情報３５１を表示する。
【００６０】
図９（ｂ）は、ユーザ３０１がシャッター１０２に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れているシャッター１０２に対応する第２段階の説明情報である詳細説明情報３５２を表示する。図９（ｂ）には、シャッター１０２の詳細な説明情報として、シャッター１０２の機能の説明を含む詳細説明情報３５２を表示した例を示している。制御部２０１は、ユーザの指がシャッター１０２に接触し、接触センサの検出情報がＯＮになって一定期間（簡易情報の最長表示時間［Ｔａ］）が経過すると、簡易説明情報３５１から詳細説明情報３５２に表示を切り替える処理を実行する。
【００６１】
図９（ｃ）は、ユーザ３０１がシャッター１０２から離れた、すなわち非接触状態となった場合の表示データ例を示している。ユーザの指がシャッター１０２から離れ、接触センサの検出情報がＯＦＦになったことが検出された場合、図９（ｃ）に示すように、表示部１０６の表示は、更新され、例えばスルー画３５３に切り替えられる。
【００６２】
図１０および図１１は、モードに応じて機能が変更される操作ボタン４０１を操作する場合の表示制御例を示す図である。図１０は、モード選択ダイヤル１０３が撮影モードに設定されている場合、図１１は、モード選択ダイヤル１０３が再生モードに設定されている場合において、操作ボタン４０１を操作する場合である。
【００６３】
操作ボタン４０１は、モード選択ダイヤル１０３が撮影モードに設定されている場合は、画素数変更ボタンとして機能し、モード選択ダイヤル１０３が再生モードに設定されている場合には、画像削除ボタンとして機能する。
【００６４】
まず、図１０は、モード選択ダイヤル１０３が撮影モードに設定されている場合の表示制御例であり、図１０（ａ）は、ユーザ３０１が操作ボタン４０１に触れてから簡易情報の最長表示時間［Ｔａ］までの表示部１０６における表示データ例を示している。この期間において、制御部２０１は、表示部１０６に、ユーザの触れている入力部２０２、この場合は、操作ボタン４０１に対応する第１段階の説明情報である簡易説明情報４１１を表示する。
【００６５】
この表示は、モード選択ダイヤル１０３の設定モード、すなわち撮影モードにおける操作ボタン４０１に対応する簡易説明情報であり、図１０（ａ）に示すように、［画素数変更ボタン］という撮影モードにおける操作ボタン４０１の機能のみの簡易説明情報４１１が表示される。制御部２０１は、ユーザの指が操作ボタン４０１に接触し、接触センサの検出情報がＯＮになったことを検出すると、接触センサの検出情報がＯＮである一定期間は図１０（ａ）に示す操作ボタン４０１対応の簡易説明情報として、設定モード（撮影モード）に対応する操作ボタン４０１の簡易説明情報４１１を表示する。
【００６６】
図１０（ｂ）は、ユーザ３０１が操作ボタン４０１に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れている操作ボタン４０１に対応する第２段階の説明情報である詳細説明情報４１２を表示する。図１０（ｂ）には、操作ボタン４０１の詳細な説明情報として、撮影モードにおける操作ボタン４０１の機能の説明を含む詳細説明情報４１２を表示した例を示している。制御部２０１は、ユーザの指が操作ボタン４０１に接触し、接触センサの検出情報がＯＮになって一定期間（簡易情報の最長表示時間［Ｔａ］）が経過すると、簡易説明情報４１１から詳細説明情報４１２に表示を切り替える処理を実行する。この場合、設定モードも考慮した情報表示が実行される。
【００６７】
図１０（ｃ）は、ユーザ３０１が操作ボタン４０１から離れた、すなわち非接触状態となった場合の表示データ例を示している。ユーザの指が操作ボタン４０１から離れ、接触センサの検出情報がＯＦＦになったことが検出された場合、図１０（ｃ）に示すように、表示部１０６の表示は、更新され、例えばスルー画４１３に切り替えられる。
【００６８】
図１１は、モード選択ダイヤル１０３が再生モードに設定されている場合の表示制御例であり、図１１（ａ）は、ユーザ３０１が操作ボタン４０１に触れてから簡易情報の最長表示時間［Ｔａ］までの表示部１０６における表示データ例を示している。この期間において、制御部２０１は、表示部１０６に、ユーザの触れている入力部２０２、この場合は、操作ボタン４０１に対応する第１段階の説明情報である簡易説明情報４２１を表示する。
【００６９】
この表示は、モード選択ダイヤル１０３の設定モード、すなわち再生モードにおける操作ボタン４０１に対応する簡易説明情報であり、図１１（ａ）に示すように、［削除ボタン］という再生モードにおける操作ボタン４０１の機能のみの簡易説明情報４２１が表示される。制御部２０１は、ユーザの指が操作ボタン４０１に接触し、接触センサの検出情報がＯＮになったことを検出すると、接触センサの検出情報がＯＮである一定期間は図１１（ａ）に示す操作ボタン４０１対応の簡易説明情報として、設定モード（再生モード）に対応する操作ボタン４０１の簡易説明情報４２１を表示する。
【００７０】
図１１（ｂ）は、ユーザ３０１が操作ボタン４０１に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れている操作ボタン４０１に対応する第２段階の説明情報である詳細説明情報４２２を表示する。図１１（ｂ）には、操作ボタン４０１の詳細な説明情報として、再生モードにおける操作ボタン４０１の機能の説明を含む詳細説明情報４２２を表示した例を示している。制御部２０１は、ユーザの指が操作ボタン４０１に接触し、接触センサの検出情報がＯＮになって一定期間（簡易情報の最長表示時間［Ｔａ］）が経過すると、簡易説明情報４２１から詳細説明情報４２２に表示を切り替える処理を実行する。この場合、設定モードも考慮した情報表示が実行される。
【００７１】
図１１（ｃ）は、ユーザ３０１が操作ボタン４０１から離れた、すなわち非接触状態となった場合の表示データ例を示している。ユーザの指が操作ボタン４０１から離れ、接触センサの検出情報がＯＦＦになったことが検出された場合、図１１（ｃ）に示すように、表示部１０６の表示は、更新され、例えばスルー画４２３に切り替えられる。
【００７２】
図１２は、ユーザ設定に応じて様々な機能を任意に割り当てることが可能な操作ボタン、すなわちファンクションボタン４４１を操作する場合の表示制御例を示す図である。図１２（ａ）は、ユーザ３０１がファンクションボタン４４１に触れてから簡易情報の最長表示時間［Ｔａ］までの表示部１０６における表示データ例を示している。この期間において、制御部２０１は、表示部１０６に、ユーザの触れている入力部２０２、この場合は、ファンクションボタン４４１に対応する第１段階の説明情報である簡易説明情報４５１を表示する。
【００７３】
この表示は、この時点でファンクションボタン４４１に設定された機能に対応する簡易説明情報であり、図１２（ａ）に示すように、［タイマ撮影］というファンクションボタン４４１の現在割り当てられている機能のみの簡易説明情報４５１が表示される。制御部２０１は、ユーザの指がファンクションボタン４４１に接触し、接触センサの検出情報がＯＮになったことを検出すると、接触センサの検出情報がＯＮである一定期間は図１２（ａ）に示すファンクションボタン４４１対応の簡易説明情報として、現設定機能に対応するファンクションボタン４４１の簡易説明情報４５１を表示する。
【００７４】
図１２（ｂ）は、ユーザ３０１がファンクションボタン４４１に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れているファンクションボタン４４１に対応する第２段階の説明情報である詳細説明情報４５２を表示する。図１２（ｂ）には、ファンクションボタン４４１の詳細な説明情報として、現在設定されているファンクションボタン４４１の機能の説明を含む詳細説明情報４５２を表示した例を示している。制御部２０１は、ユーザの指がファンクションボタン４４１に接触し、接触センサの検出情報がＯＮになって一定期間（簡易情報の最長表示時間［Ｔａ］）が経過すると、簡易説明情報４５１から詳細説明情報４５２に表示を切り替える処理を実行する。この場合、設定情報を考慮した情報表示が実行される。
【００７５】
図１２（ｃ）は、ユーザ３０１がファンクションボタン４４１から離れた、すなわち非接触状態となった場合の表示データ例を示している。ユーザの指がファンクションボタン４４１から離れ、接触センサの検出情報がＯＦＦになったことが検出された場合、図１２（ｃ）に示すように、表示部１０６の表示は、更新され、例えばスルー画４５３に切り替えられる。
【００７６】
図１３は、ボタン操作回数に応じた機能を実現する多機能操作ボタン４７１を操作する場合の表示制御例を示す図である。図１３（ａ）は、ユーザ３０１が多機能操作ボタン４７１に触れてから簡易情報の最長表示時間［Ｔａ］までの表示部１０６における表示データ例を示している。この期間において、制御部２０１は、表示部１０６に、ユーザの触れている入力部２０２、この場合は、多機能操作ボタン４７１に対応する第１段階の説明情報である簡易説明情報４８１を表示する。
【００７７】
この表示は、この時点で多機能操作ボタン４７１の操作によって実現される機能に対応する簡易説明情報であり、図１３（ａ）に示すように、［省エネ→ＯＦＦ］という多機能操作ボタン４７１の操作によって実行される処理のみの簡易説明情報４８１が表示される。制御部２０１は、ユーザの指が多機能操作ボタン４７１に接触し、接触センサの検出情報がＯＮになったことを検出すると、接触センサの検出情報がＯＮである一定期間は図１３（ａ）に示す多機能操作ボタン４７１対応の簡易説明情報として、現設定機能に対応する多機能操作ボタン４７１の簡易説明情報４８１を表示する。
【００７８】
図１３（ｂ）は、ユーザ３０１が多機能操作ボタン４７１に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れている多機能操作ボタン４７１に対応する第２段階の説明情報である詳細説明情報４８２を表示する。図１３（ｂ）には、多機能操作ボタン４７１の詳細な説明情報として、多機能操作ボタン４７１の機能のすべての説明を含む詳細説明情報４８２を表示した例を示している。制御部２０１は、ユーザの指が多機能操作ボタン４７１に接触し、接触センサの検出情報がＯＮになって一定期間（簡易情報の最長表示時間［Ｔａ］）が経過すると、簡易説明情報４８１から詳細説明情報４８２に表示を切り替える処理を実行する。
【００７９】
図１３（ｃ）は、ユーザ３０１が多機能操作ボタン４７１から離れた、すなわち非接触状態となった場合の表示データ例を示している。ユーザの指が多機能操作ボタン４７１から離れ、接触センサの検出情報がＯＦＦになったことが検出された場合、図１３（ｃ）に示すように、表示部１０６の表示は、更新され、例えばスルー画４８３に切り替えられる。
【００８０】
図１４は、ボタンの操作態様に応じた機能を実現する多機能操作ボタン５０１を操作する場合の表示制御例を示す図である。図１４（ａ）は、ユーザ３０１が多機能操作ボタン５０１に触れてから簡易情報の最長表示時間［Ｔａ］までの表示部１０６における表示データ例を示している。この期間において、制御部２０１は、表示部１０６に、ユーザの触れている入力部２０２、この場合は、多機能操作ボタン５０１に対応する第１段階の説明情報である簡易説明情報５２１を表示する。
【００８１】
この表示は、多機能操作ボタン５０１の操作態様によって実現される機能に対応する簡易説明情報であり、図１４（ａ）に示すような簡易説明情報５２１が表示される。制御部２０１は、ユーザの指が多機能操作ボタン５０１に接触し、接触センサの検出情報がＯＮになったことを検出すると、接触センサの検出情報がＯＮである一定期間は図１４（ａ）に示す多機能操作ボタン５０１対応の簡易説明情報として、現設定機能に対応する多機能操作ボタン５０１の簡易説明情報５２１を表示する。
【００８２】
図１４（ｂ）は、ユーザ３０１が多機能操作ボタン５０１に継続して触れており、簡易情報の最長表示時間［Ｔａ］を経過した以後の表示部１０６における表示データ例を示している。制御部２０１は、簡易情報の最長表示時間［Ｔａ］を経過した以後は、表示部１０６に、ユーザの触れている多機能操作ボタン５０１に対応する第２段階の説明情報である詳細説明情報５２２を表示する。図１４（ｂ）には、多機能操作ボタン５０１の詳細な説明情報として、多機能操作ボタン５０１の機能のすべての説明を含む詳細説明情報５２２を表示した例を示している。制御部２０１は、ユーザの指が多機能操作ボタン５０１に接触し、接触センサの検出情報がＯＮになって一定期間（簡易情報の最長表示時間［Ｔａ］）が経過すると、簡易説明情報５２１から詳細説明情報５２２に表示を切り替える処理を実行する。
【００８３】
図１４（ｃ）は、ユーザ３０１が多機能操作ボタン５０１から離れた、すなわち非接触状態となった場合の表示データ例を示している。ユーザの指が多機能操作ボタン５０１から離れ、接触センサの検出情報がＯＦＦになったことが検出された場合、図１４（ｃ）に示すように、表示部１０６の表示は、更新され、例えばスルー画５２３に切り替えられる。
【００８４】
このように、本発明に従った表示制御では、ユーザの入力部に対する接触情報に基づいて表示の切り替えを行なう。ユーザが入力部を触れたままの状態を継続している場合には、段階的により詳細な説明を表示する設定としたので、ユーザの理解度に応じた最適な表示を行なうことが可能となる。
【００８５】
なお、上述の実施例では、簡易情報と詳細情報の表示切り替え例を中心として説明したが、本発明は、簡易情報と詳細情報の切り替えに限らず、その他の複数の異なる情報（第１の情報〜第ｎの情報）の表示制御に適用可能である。
【００８６】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８７】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００８８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８９】
以上、説明したように、本発明の一実施例構成によれば、情報表示装置の制御部が、入力部に対応して設定された接触センサの検出情報を入力し、入力部に対するユーザ接触を示す接触情報が入力したことを条件として入力部に対応する簡易説明情報を表示部に表示し、さらに、入力部に対するユーザ接触が予め設定した簡易情報の最長表示時間以上継続したと判定した場合には、表示部の表示を詳細説明情報に切り替える表示情報制御を行なう構成としたので、例えば入力部の操作や機能についてよく分からないユーザでも、より詳細な説明を効率的に容易に確認することが可能となる。
【図面の簡単な説明】
【００９０】
【図１】本発明の情報表示装置の一実施例としての撮像装置の構成について説明する図である。
【図２】本発明の一実施例の情報表示装置のハードウェア構成例について説明する図である。
【図３】本発明の一実施例の情報表示装置の表示部に表示される表示データ例について説明する図である。
【図４】本発明の一実施例の情報表示装置の表示部に表示される表示データの遷移例について説明する図である。
【図５】本発明の一実施例の情報表示装置の表示部に表示される表示データの遷移シーケンスについて説明する図である。
【図６】本発明の一実施例の情報表示装置の表示部に表示される表示データの遷移シーケンスについて説明する図である。
【図７】本発明の一実施例の情報表示装置の表示部に表示される表示データの遷移シーケンスについて説明するフローチャートを示す図である。
【図８】本発明の一実施例の情報表示装置の表示部に表示される表示データの遷移例について説明する図である。
【図９】本発明の一実施例の情報表示装置の表示部に表示される表示データの遷移例について説明する図である。
【図１０】本発明の一実施例の情報表示装置の表示部に表示される表示データの遷移例について説明する図である。
【図１１】本発明の一実施例の情報表示装置の表示部に表示される表示データの遷移例について説明する図である。
【図１２】本発明の一実施例の情報表示装置の表示部に表示される表示データの遷移例について説明する図である。
【図１３】本発明の一実施例の情報表示装置の表示部に表示される表示データの遷移例について説明する図である。
【図１４】本発明の一実施例の情報表示装置の表示部に表示される表示データの遷移例について説明する図である。
【符号の説明】
【００９１】
１００  撮像装置
１０１  レンズ
１０２  シャッター
１０３  モード選択ダイヤル
１０４  ズームボタン
１０５  操作ボタン
１０６  表示部
２０１  制御部
２０２  入力部
２０３  接触センサ
２０４  メモリ
２０５  表示部
２０６  タイマ
２０７  電源
３０１  ユーザ
３３１  簡易説明情報画
３３２  詳細説明情報
３３３  スルー画
３４１  簡易説明情報画
３４２  詳細説明情報
３４３  スルー画
３５１  簡易説明情報画
３５２  詳細説明情報
３５３  スルー画
４０１  操作ボタン
４１１  簡易説明情報画
４１２  詳細説明情報
４１３  スルー画
４２１  簡易説明情報画
４２２  詳細説明情報
４２３  スルー画
４４１  ファンクションボタン
４５１  簡易説明情報画
４５２  詳細説明情報
４５３  スルー画
４７１  多機能操作ボタン
４８１  簡易説明情報画
４８２  詳細説明情報
４８３  スルー画
５０１  多機能操作ボタン
５２１  簡易説明情報画
５２２  詳細説明情報
５２３  スルー画
【図２】
2008301387.tif 000003
【図５】
2008301387.tif 000004
【図６】
2008301387.tif 000005
【図７】
2008301387.tif 000006
【図１】
2008301387.tif 000007
【図３】
2008301387.tif 000008
【図４】
2008301387.tif 000009
【図８】
2008301387.tif 000010
【図９】
2008301387.tif 000011
【図１０】
2008301387.tif 000012
【図１１】
2008301387.tif 000013
【図１２】
2008301387.tif 000014
【図１３】
2008301387.tif 000015
【図１４】
2008301387.tif 000016